(57)【要約】【課題】大型化を抑制しながらライトパイプを内側から冷却することが可能なプロジェクタを提供する。【解決手段】プロジェクタ１は、光が通過可能な中空状の導光路１２ａを有し、導光路１２ａによって光を成形するライトパイプ１２と、ライトパイプ１２の光の出射側に位置し、レンズ群１３を保持するレンズ保持部材１４と、ライトパイプ１２の中空状の導光路１２ａの内面に風を導くための導風空間３３ｄおよび開口部３３ｅを有する導風部３３と、導風部３３の開口部３３ｅへ風を送るブロワ３１と、導風部３３の開口部３３ｅとブロワ３１とを連結する導管部材３２とを備え、導風部３３は、レンズ保持部材１４とライトパイプ１２とを連結するとともに、レンズ保持部材１４と一体的に形成され、導管部材３２には、導風部３３の開口部３３ｅに連結される第１導風路３２ａと、ライトパイプ１２の外側面に風を導く第２導風路３２ｂとが形成されている。【選択図】図６
2006337511.tif 000002
【特許請求の範囲】
【請求項１】
光が通過可能な中空状の導光路を有し、前記導光路によって光を成形するライトパイプと、前記ライトパイプの光の出射側に位置し、レンズを保持するレンズ保持部材とを備えたプロジェクタにおいて、
前記ライトパイプの中空状の導光路の内面に風を導くための導風空間および開口部を有する導風部材と、
前記導風部材の開口部へ風を送る送風手段と、
前記導風部材の開口部と、前記送風手段とを連結する導管部材とを備え、
前記導風部材は、前記レンズ保持部材と前記ライトパイプとを連結するとともに、前記レンズ保持部材に一体的に形成されており、
前記導管部材には、前記導風部材の開口部に連結される第１導風路と、前記ライトパイプの外側面に風を導く第２導風路とが形成されている、プロジェクタ。
【請求項２】
光が通過可能な中空状の導光路を有し、前記導光路によって光を成形するライトパイプと、
前記ライトパイプの中空状の導光路の内面に風を導くための導風空間を有する導風部材とを備えた、プロジェクタ。
【請求項３】
前記ライトパイプの光の出射側に位置し、レンズを保持するレンズ保持部材をさらに備え、
前記導風部材は、前記レンズ保持部材と前記ライトパイプとを連結するとともに、前記レンズ保持部材に一体的に形成されている、請求項２に記載のプロジェクタ。
【請求項４】
前記導風部材には、開口部が形成されており、
前記導風部材の開口部へ風を送る送風手段をさらに備える、請求項２または３に記載のプロジェクタ。
【請求項５】
前記導風部材の開口部と前記送風手段とを連結する導管部材をさらに備える、請求項４に記載のプロジェクタ。
【請求項６】
前記導管部材には、前記導風部材の開口部に連結される第１導風路と、前記ライトパイプの外側面に風を導く第２導風路とが形成されている、請求項５に記載のプロジェクタ。
【発明の詳細な説明】
【技術分野】
【０００１】
この発明は、プロジェクタに関し、特に、ライトパイプを有するプロジェクタに関する。
【背景技術】
【０００２】
従来、光源ランプからの光を所定の形状に成形するためのライトパイプを有するプロジェクタが知られている。上記した従来のプロジェクタにおいて、光源ランプの光量を一定に保つためには、光源を一定の高い温度に保持する必要がある。しかしながら、従来のプロジェクタでは、光源を高温にした場合、ライトパイプの内部にコーティングされた銀などからなる反射膜が劣化するという不都合が生じる。また、ライトパイプを構成する複数のガラスを互いに接着するための接着材とガラスとの熱膨張率の差に起因して、ライトパイプが破損するという不都合も生じる。
【０００３】
そこで、従来では、ライトパイプを冷却するためのライトパイプ冷却機構を有するプロジェクタが提案されている（たとえば、特許文献１参照）。図１０は、上記特許文献１
に開示された従来のプロジェクタの内部に設置されたライトパイプ冷却機構の構成を示した断面図である。図１０を参照して、従来のプロジェクタの内部に設置されたライトパイプ冷却機構１００は、光Ｌを均一化するためのライトパイプ１０１を保持し、かつ、ライトパイプ１０１を冷却する透明液体１０２を収容するためのケーシング１０３と、透明液体１０２を冷却するための冷却手段１０４とを備えている。この従来のライトパイプ冷却機構１００において、高温になるライトパイプ１０１を冷却する透明液体１０２は、ケーシング１０３の外部に設置された冷却手段１０４とケーシング１０３との間を循環することによって冷却される。そして、循環により冷却された透明液体１０２によってライトパイプ１０１が冷却される。
【特許文献１】特開２００４−３６１７６８号公報
【発明の開示】
【発明が解決しようとする課題】
【０００４】
しかしながら、図１０に示したライトパイプ冷却機構１００を用いてライトパイプを冷却する場合、透明液体１０２を収容するためのケーシング１０３と、透明液体１０２を冷却するための冷却手段１０４とをプロジェクタ内部に装着する必要があるので、プロジェクタが大型化するという不都合がある。その結果、プロジェクタを大型化させることなく、ライトパイプを冷却するのが困難であるという問題点がある。
【０００５】
この発明は、上記のような課題を解決するためになされたものであり、この発明の１つの目的は、大型化を抑制しながらライトパイプを内側から冷却することが可能なプロジェクタを提供することである。
【課題を解決するための手段】
【０００６】
この発明の第１の局面によるプロジェクタは、光が通過可能な中空状の導光路を有し、導光路によって光を成形するライトパイプと、ライトパイプの光の出射側に位置し、レンズを保持するレンズ保持部材とを備えたプロジェクタにおいて、ライトパイプの中空状の導光路の内面に風を導くための導風空間および開口部を有する導風部材と、導風部材の開口部へ風を送る送風手段と、導風部材の開口部と、送風手段とを連結する導管部材とを備え、導風部材は、レンズ保持部材とライトパイプとを連結するとともに、レンズ保持部材に一体的に形成されており、導管部材には、導風部材の開口部に連結される第１導風路と
、ライトパイプの外側面に風を導く第２導風路とが形成されている。
【０００７】
この発明の第１の局面によるプロジェクタでは、上記のように、ライトパイプの中空状の導光路の内面に風を導くための導風空間を有する導風部材を設けることによって、導風部材によりライトパイプの内面に風を導くことができるので、ライトパイプを内面から冷却することができる。これにより、冷却水などを用いてライトパイプを冷却する場合と異なり冷却液体を収容するケースを設ける必要がないので、プロジェクタを大型化させることなく、ライトパイプを内面から冷却することができる。また、レンズ保持部材とライトパイプとを導風部材により連結するとともに、導風部材をレンズ保持部材に一体的に設けることによって、導風部材を設けたとしても、部品点数が増加するのを抑制することができる。また、導風部材に開口部を設けるとともに、導風部材の開口部に風を送る送風手段を設けることによって、送風手段により、導風部材の開口部を介して、より多くの風を導風部材の導風空間およびライトパイプの導光路に送ることができるので、冷却効率を向上させることができる。また、導風部材の開口部と送風手段とを連結する導管部材を設けることによって、送風手段からの風を確実に導風部材の開口部に送り込むことができるので、これによっても、冷却効率を向上させることができる。また、導管部材に、導風部材の開口部に連結される第１導風路と、ライトパイプの外側面に風を導く第２導風路とを形成することによって、導管部材の第１導風路を介して送られる風によってライトパイプの内面を冷却することができ、かつ、導管部材の第２導風路から送られる風によってライトパイプの外側面を冷却することができる。これにより、より効率的にライトパイプを冷却することができる。
【０００８】
この発明の第２の局面によるプロジェクタでは、光が通過可能な中空状の導光路を有し、導光路によって光を成形するライトパイプと、ライトパイプの中空状の導光路の内面に風を導くための導風空間を有する導風部材とを備えている。
【０００９】
この発明の第２の局面によるプロジェクタは、上記のように、ライトパイプの中空状の導光路の内面に風を導くための導風空間を有する導風部材を設けることによって、導風部材によりライトパイプの内面に風を導くことができるので、ライトパイプを内面から冷却することができる。これにより、冷却水などを用いてライトパイプを冷却する場合と異なり冷却液体を収容するケースを設ける必要がないので、プロジェクタを大型化させることなく、ライトパイプを内面から冷却することができる。
【００１０】
上記第２の局面によるプロジェクタにおいて、好ましくは、ライトパイプの光の出射側に位置し、レンズを保持するレンズ保持部材をさらに備え、導風部材は、レンズ保持部材とライトパイプとを連結するとともに、レンズ保持部材に一体的に形成されている。このようにレンズ保持部材とライトパイプとを導風部材により連結するとともに、導風部材をレンズ保持部材に一体的に設けることによって、導風部材を設けたとしても、部品点数が増加するのを抑制することができる。
【００１１】
上記送風手段を備えたプロジェクタにおいて、好ましくは、導風部材には、開口部が形成されており、導風部材の開口部へ風を送る送風手段をさらに備える。このように導風部材に開口部を設けるとともに、導風部材の開口部に風を送る送風手段を設けることによって、送風手段により、導風部材の開口部を介して、より多くの風を導風部材の導風空間およびライトパイプの導光路に送ることができるので、冷却効率を向上させることができる。
【００１２】
上記導管部材を備えたプロジェクタにおいて、好ましくは、導風部材の開口部と送風手段とを連結する導管部材をさらに備える。このように構成すれば、送風手段からの風を確実に導風部材の開口部に送り込むことができるので、これによっても、冷却効率を向上さ
せることができる。
【００１３】
上記第２の局面によるプロジェクタにおいて、好ましくは、導管部材には、導風部材の開口部に連結される第１導風路と、ライトパイプの外側面に風を導く第２導風路とが形成されている。このように、導管部材に、導風部材の開口部に連結される第１導風路と、ライトパイプの外側面に風を導く第２導風路とを形成することによって、導管部材の第１導風路を介して送られる風によってライトパイプの内面を冷却することができ、かつ、導管部材の第２導風路から送られる風によってライトパイプの外側面を冷却することができる。これにより、より効率的にライトパイプを冷却することができる。
【発明を実施するための最良の形態】
【００１４】
以下、本発明の実施形態を図面に基づいて説明する。
【００１５】
（第１実施形態）
図１は、本発明の第１実施形態によるプロジェクタの全体構成を示した斜視図である。図２は、本発明の第１実施形態によるプロジェクタの内部平面図である。図３は、ライトパイプとカラーホイールとを光源ランプ側から見た図である。図４および図６は、ライトパイプの冷却機構を示した斜視図である。図５は、ライトパイプの縦断面図である。図７は、ライトパイプの冷却方法を示す部分断面図である。図１〜図７を参照して、本発明の第１実施形態によるプロジェクタ１の構造について説明する。
【００１６】
本発明の第１実施形態によるプロジェクタ１のフレームは、図１に示すように、前部フレーム２、後部フレーム３、上部フレーム４および下部フレーム５を含んでいる。前部フレーム２の一方の端部側（矢印Ａ方向）の部分には、映像を投影するための投影レンズ６が挿入されるレンズ挿入部２ａが形成されている。また、図２に示すように、下部フレーム５の一方（矢印Ａ方向）の側の側面には、メインスイッチ７が設けられている。
【００１７】
また、図２に示すように、プロジェクタ１の投影機構は、光源ランプ１０と、カラーホイール１１と、ライトパイプ１２と、レンズ群１３と、レンズ保持部材１４と、ミラー１５と、レンズ１６と、ＤＭＤ（Ｄｉｇｉｔａｌ  Ｍｉｃｒｏｍｉｒｒｏｒ  Ｄｅｖｉｃｅ）素子１７とを備えている。また、プロジェクタ１の内部の後部には、プロジェクタ１の制御全般を行うメイン基板１８が設置されている。
【００１８】
光源ランプ１０は、光源としてのガラス製のバルブ１０ａと、バルブ１０ａが発する光Ｌを反射して集光するためのリフレクタ１０ｂとを備えている。この光源ランプ１０は、箱型形状のランプケース１９の内部に装着されている。このランプケース１９の前面部分には、ＬＣＰ樹脂（液晶ポリエステル樹脂：耐熱温度約３４０℃〜約３５０℃）により形成されるとともに、前面部分を除く部分は、ＰＰＳ樹脂（ポリフェニレンサルファイド樹脂：耐熱温度約２４０℃）により形成されている。
【００１９】
また、カラーホイール１１は、光源ランプ１０のバルブ１０ａから発せられた光Ｌがリフレクタ１０ｂによって集光される位置に回転可能に配置されている。このカラーホイール１１は、光源ランプ１０から照射される光Ｌに色（たとえば、赤、青、緑）を付加する機能を有している。また、ライトパイプ１２は、カラーホイール１１を挟んで光源ランプ１０と対向するように配置されている。また、図３および図４に示すように、ライトパイプ１２は、カラーホイール１１の回転軸から見て、カラーホイール１１の回転中心から矢印Ｃ方向に所定の距離だけずれた位置に配置されている。このライトパイプ１２は、図５に示すように、４枚のガラス板２０、２１、２２および２３によって構成されている。これら４枚のガラス板２０〜２３は、内部に中空状の矩形の導光路１２ａが形成されるように直方体形状に組み立てられるとともに、互いの接触面は接着剤２４により接着されてい
る。４枚のガラス板２０〜２３の導光路１２ａに対応する面上には、光Ｌを均一化するための銀製の反射膜２０ａ、２１ａ、２２ａおよび２３ａがコーティングされている。また、図４および図６に示すように、ライトパイプ１２の両端には、それぞれ、矢印Ｆ方向に進行する光Ｌが入射する入射口１２ｂおよび光Ｌが出射する出射口１２ｃが矩形状に開口されている。これにより、カラーホイール１１を透過した光Ｌは、ライトパイプ１２の導光路１２ａの反射膜２０ａ〜２３ａに反射されながら通過することにより、均一化されるとともに、矩形状に成形される。
【００２０】
また、図２、図４および図６に示すように、レンズ保持部材１４は、真鍮製の円筒部材からなるとともに、ライトパイプ１２の出射口１２ｃ側に配置されている。このレンズ保持部材１４によって、ＤＭＤ素子１７上に結像させるための２枚のレンズ１３ａおよび１３ｂからなるレンズ群１３が保持されている。また、図２に示すように、ミラー１５は、レンズ群１３を透過した光をレンズ１６へと反射する機能を有する。レンズ１６は、ミラー１５によって反射された光をＤＭＤ素子１７へと集光する機能を有する。ＤＭＤ素子１７は、レンズ１６を透過した光を投影レンズ６に供給する機能を有する。このＤＭＤ素子１７は、表面に多数の反射部を有するとともに、それら多数の反射部を画像信号に応じて変位させ、反射光の有無によって画像を形成する。ＤＭＤ素子１７には、ＤＭＤ素子１７を制御するプリント基板２５が取り付けられている。また、プリント基板２５には、ＤＭＤ素子１７の熱を放熱するためのヒートシンク部材２６が取り付けられている。
【００２１】
また、第１実施形態では、図２に示すように、プロジェクタ１の冷却機構は、送風ファン３０と、ブロワ３１と、導管部材３２と、導風部３３と、排気ファン３４とによって構成されている。なお、ブロワ３１は、本発明の「送風手段」の一例であり、導風部３３は、本発明の「導風部材」の一例である。また、図１および図２に示すように、前部フレーム２には、プロジェクタ１の各部を冷却した空気を排気するための排気口２ｂが形成されている。また、下部フレーム５の矢印Ａ方向の側面には、冷却するための空気を吸気するための吸気口５ａが形成されるとともに、下部フレーム５の矢印Ｂ方向の側面には、排気ファン３４により空気を排気するための排気口５ｂが形成されている。
【００２２】
送風ファン３０は、図２に示すように、光源ランプ１０を冷却するために、光源ランプ１０に隣接した位置に配置されている。この送風ファン３０は、光源ランプ１０が位置する矢印Ｅ方向に風を送る機能を有し、その光源ランプ１０に送られた風は、光源ランプ１０を冷却した後、前部フレーム２の排気口２ｂから排気される。
【００２３】
ここで、第１実施形態では、ブロワ３１は、ライトパイプ１２の内面および外側面を冷却するために設けられている。このブロワ３１は、送風ファン３０に矢印Ａ方向に隣接するように、かつ、レンズ保持部材１４およびライトパイプ１２の延びる方向と平行になるように配置されている。ブロワ３１には、図６に示すように、空気を取り込むための空気取込部３１ａと、空気取込部３１ａから取り込まれた空気を導管部材３２を介して送る送風口３１ｂとが設けられている。また、空気取込部３１ａには、複数の羽根３１ｃが回転可能に取り付けられている。そして、これら複数の羽根３１ｃが回転することによって、図７に示すように、空気取込部３１ａから空気が取り込まれて、送風口３１ｂからライトパイプ１２の内部および外側面へ向けて送風が行われる。
【００２４】
また、第１実施形態では、図６に示すように、導管部材３２は、ブロワ３１と一体的に形成されている。導管部材３２には、第１導風路３２ａと第２導風路３２ｂとが形成されている。第１導風路３２ａの一方の端部および他方の端部は、それぞれ、ブロワ３１の送風口３１ｂ、および、後述する導風部３３の開口部３３ｅに連結されている。この第１導風路３２ａは、ブロワ３１の風を送風口３１ｂを介して導風部３３に導くために設けられている。また、第２導風路３２ｂは、第１導風路３２ａの途中の部分からライトパイプ１
２の外側面の方向へと分岐するように形成されている。また、第１導風路３２ａとは反対側の第２導風路３２ｂの端部には、送風口３２ｃがライトパイプ１２の外側面の手前まで延びるように形成されている。この第２導風路３２ｂは、ブロワ３１の風をライトパイプ１２の外側面に導くために設けられている。
【００２５】
また、第１実施形態では、図４、図６および図７に示すように、導風部３３は、レンズ保持部材１４と一体的に形成されている。導風部３３は、レンズ保持部材１４の外周面と連続するように形成され、レンズ保持部材１４の外周面と同じ円筒形状を有するレンズ保持部材連結部３３ａと、レンズ保持部材連結部３３ａの側端部を覆うように形成され、ライトパイプ１２と連結されるライトパイプ連結部３３ｂとからなる。導風部３３のレンズ保持部材連結部３３ａの内面のレンズ群１３側の端部は、レンズ１３ｂによって密閉されているとともに、導風部３３のライトパイプ１２側の端部は、ライトパイプ１２の端部が挿入される送風口３３ｃを除いて、ライトパイプ連結部３３ｂよって密閉されている。これにより、導風部３３の内部には、レンズ１３ｂと導風部３３のレンズ保持部材連結部３３ａおよびライトパイプ連結部３３ｂとによって囲まれた導風空間３３ｄが形成されている。また、導風部３３のレンズ保持部材連結部３３ａには、開口部３３ｅが形成されている。この開口部３３ｅには、上述した導管部材３２の第１導風路３２ａが連結されている。これにより、第１導風路３２ａを介して導風空間３３ｄに、ブロワ３１からの風が送り込まれる。そして、導風空間３３ｄに送り込まれた風は、送風口３３ｃを介してライトパイプ１２の導光路１２ａへと導かれる。
【００２６】
また、図２に示すように、排気ファン３４は、下部フレーム５の排気口５ｂの内面側に設けられている。排気ファン３４は、吸気口５ａから吸気されて、メイン基板１８などを冷却した空気を排気口５ｂから排気する機能を有する。
【００２７】
次に、図２、図４および図７を参照して、第１実施形態によるプロジェクタ１の動作について説明する。まず、図２に示すように、光源ランプ１０のバルブ１０ａからの光Ｌが光源ランプ１０のリフレクタ１０ｂによって集光される。この後、図４に示すように、カラーホイール１１によって色が付加された光Ｌがライトパイプ１２の入射口１２ｂから導光路１２ａに入射される。次に、図２に示すように、ライトパイプ１２の導光路１２ａに入射されて矩形状に成形された光Ｌは、矢印Ｆ方向へ進行してレンズ群１３を透過した後、ミラー１５に反射される。そして、ミラー１５に反射された光は、矢印Ｇ方向に進行し、レンズ１６を透過した後、ＤＭＤ素子１７に入射する。これにより、ＤＭＤ素子１７によって形成された画像に対応する光が矢印Ｈ方向に進行するとともに、その画像が投影レンズ６によって拡大されてスクリーンなどに投影される。
【００２８】
上記のようにプロジェクタ１が動作する際には、図２に示した、送風ファン３０、ブロワ３１および排気ファン３４が回転されることによって、下部フレーム５の吸気口５ａから空気が取り込まれる。そして、取り込まれた空気の一部は、送風ファン３０により、矢印Ｅ方向に送られる。これにより、光源ランプ１０が冷却される。そして、光源ランプ１０を冷却した空気は、排気口２ｂから排気される。また、下部フレーム５の吸気口５ａから取り込まれた空気の一部は、メイン基板１８などを冷却した後、排気ファン３４によって排気口５ｂから排気される。
【００２９】
この際、第１実施形態では、図２に示すように、下部フレーム５の吸気口５ａから取り込まれた空気の一部は、矢印Ｍ方向からブロワ３１の空気取込部３１ａ（図６参照）を介してブロワ３１にも取り込まれる。そして、図７に示すように、ブロワ３１に取り込まれた空気は、矢印Ｊ方向に沿って送風口３１ｂから導管部材３２に送風される。導管部材３２に送られた空気のうちの一部は、第１導風路３２ａを通って矢印Ｊ１方向に進行するとともに、導風部３３の開口部３３ｅを介して導風空間３３ｄに送り込まれる。導風空間３
３ｄに送り込まれた空気は、送風口３３ｃを介してライトパイプ１２の出射口１２ｃ側から入射口１２ｂ側に向かってライトパイプ１２の内面の導光路１２ａに導かれる。これにより、ライトパイプ１２の内面から反射膜２０ａ〜２３ａなどが冷却される。その後、ライトパイプ１２の内面を冷却して入射口１２ｂから排気された空気は、カラーホイール１１を冷却しながら、矢印Ｋ方向に進行することにより、排気口２ｂ（図２参照）から排出される。また、図７に示すように、ブロワ３１から導管部材３２に送られた空気のうちの矢印Ｊ１方向に進行する空気以外の空気は、第２導風路３２ｂを通って矢印Ｊ２方向に進行する。これにより、送風口３２ｃから空気が排気されるとともに、その空気によりライトパイプ１２の外側面が冷却される。
【００３０】
第１実施形態では、上記のように、ライトパイプ１２の中空状の導光路１２ａの内面に風を導くための導風空間３３ｄを有する導風部３３を設けることによって、導風部３３ライトパイプ１２の内面に風を導くことができるので、ライトパイプ１２を内面から冷却することができる。これにより、冷却水などを用いてライトパイプ１２を冷却する場合と異なり冷却水を収容するケースを設ける必要がないので、プロジェクタ１を大型化させることなく、ライトパイプ１２を内面から冷却することができる。また、レンズ保持部材１４とライトパイプ１２とを導風部３３により連結するとともに、導風部３３をレンズ保持部材１４に一体的に設けることによって、導風部３３を設けたとしても、部品点数が増加するのを抑制することができる。
【００３１】
また、第１実施形態では、導風部３３に開口部３３ｅを設けるとともに、導風部３３の開口部３３ｅに風を送るブロワ３１を設けることによって、ブロワ３１により、導風部３３の開口部３３ｅを介して、より多くの風を導風部３３の導風空間３３ｄおよびライトパイプ１２の導光路１２ａおよび外側面に送ることができるので、冷却効率を向上させることができる。また、導管部材３２に、導風部３３の開口部３３ｅとブロワ３１とを連結する第１導風路３２ａ、および、ライトパイプ１２の外側面に風を導く第２導風路３２ｂを形成することにより、導管部材３２の第１導風路３２ａを介して送られる風によってライトパイプ１２が内面から冷却することができ、かつ、導管部材３２の第２導風路３２ｂから送られる風によってライトパイプ１２の外側面を冷却することができる。これにより、より効率的にライトパイプ１２を冷却することができる。
【００３２】
（第２実施形態）
図８は、本発明の第２実施形態によるプロジェクタの内部平面図である。図９は、図８に示した第２実施形態によるプロジェクタのライトパイプへの導風部周辺の構造を示した斜視図である。図８および図９を参照して、この第２実施形態では、上記第１実施形態とは異なり、導管部材を設けずに送風ファンによりライトパイプを冷却する場合について説明する。
【００３３】
この第２実施形態によるプロジェクタ４１では、図８に示すように、送風ファン３０の矢印Ａ方向に隣接するように、ライトパイプ１２を冷却するための送風ファン４２が配置されている。なお、送風ファン４２は、本発明の「送風手段」の一例である。この送風ファン４２は、吸気口５ａから吸気された空気を矢印Ｍ方向から取り込むとともに、その取り込んだ空気をライトパイプ１２側へ送風するために設けられている。また、ライトパイプ１２の出射口１２ｃ側には、レンズ群１３を保持するためのレンズ保持部材４３が配置されている。
【００３４】
ここで、第２実施形態では、図８および図９に示すように、レンズ保持部材４３のライトパイプ１２側に導風部４４が一体的に設けられている。この導風部４４は、レンズ保持部材４３の外周面と連続するように形成され、レンズ保持部材４３の外周面と同じ円筒形状を有するレンズ保持部材連結部４４ａと、レンズ保持部材連結部４４ａの側端部を覆う
ように形成され、ライトパイプ１２と連結されるライトパイプ連結部４４ｂとからなる。導風部４４のレンズ保持部材連結部４４ａの内面のレンズ群１３側の端部は、レンズ１３ｂによって密閉されているとともに、導風部４４のライトパイプ１２側の端部は、ライトパイプ１２の端部が挿入される送風口４４ｃを除いてライトパイプ連結部４４ｂによって密閉されている。これにより、導風部４４の内部には、レンズ１３ｂと導風部４４のレンズ保持部材連結部４４ａおよびライトパイプ連結部４４ｂとによって囲まれた導風空間４４ｄが形成されている。また、導風部４４のレンズ保持部材連結部４４ａには、送風ファン４２からの風を送り込まれる開口部４４ｅが形成されている。なお、この第２実施形態の開口部４４ｅは、第１実施形態による導風部３３の開口部３３ｅ（図４参照）よりも大きい開口面積を有するように形成されている。
【００３５】
なお、第２実施形態のその他の構成は、上記第１実施形態と同様である。
【００３６】
次に、図８および図９を参照して、第２実施形態によるプロジェクタ４１におけるライトパイプ１２の冷却動作について説明する。まず、図８に示すように、下部フレーム５の吸気口５ａから吸気された空気は、矢印Ｍ方向から送風ファン４２により取り込まれる。そして、その送風ファン４２により取り込まれた空気は、矢印Ｎ方向へ送風される。そして、送風ファン４２によって送られた風の一部が、ライトパイプ１２の外側面に達する。これにより、ライトパイプ１２が外側から冷却される。また、送風ファン４２によって送られた風の一部は、図９の矢印Ｐに示すように、導風部４４の開口部４４ｅを介して導風空間４４ｄにも送り込まれる。この導風部４４の導風空間４４ｄに送り込まれた風は、ライトパイプ１２の出射口１２ｃから入射口１２ｂ側に向かってライトパイプ１２の内面の導光路１２ａに導かれる。これにより、ライトパイプ１２が内面側から冷却される。その後、ライトパイプ１２の内面を冷却して入射口１２ｂから排気された空気は、矢印Ｑ方向へ流れて前部フレーム２の排気口２ｂから排気される。
【００３７】
第２実施形態では、上記のように、第１実施形態と異なり導管部材３２を設けていないので、第１実施形態に比べてプロジェクタ４１の構成を簡素化することができる。また、導風部４４のレンズ保持部材連結部４４ａに形成された開口部４４ｅを大きくすることによって、第１実施形態と異なり、導管部材３２を設けない場合にも、ライトパイプ１２を冷却する風を容易に取り込むことができる。これにより、第１実施形態と異なり、導管部材３２を設けない場合にも、ライトパイプ１２を内面側から効率よく冷却することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
たとえば、上記第１および第２実施形態では、導風部３３（４４）とレンズ保持部材１４（４３）とを一体的に形成する例を示したが、本発明はこれに限らず、導風部３３（４４）をレンズ保持部材１４とは別部品として構成してもよい。また、導風部とライトパイプとを一体的に形成してもよい。
【００４０】
また、上記第１および第２実施形態では、ライトパイプ１２の出射口１３ｃから入射口１３ｂに向かって冷却用の風が流れるように構成する例を示したが、本発明はこれに限らず、ライトパイプ１２の入射口１３ｂから出射口１３ｃに向かって冷却用の風が流れるように構成してもよい。
【図面の簡単な説明】
【００４１】
【図１】本発明の第１実施形態によるプロジェクタの全体構成を示した外観の斜視図である。
【図２】本発明の第１実施形態によるプロジェクタの内部平面図である。
【図３】第１実施形態によるライトパイプとカラーホイールとを光源ランプ側から見た図である。
【図４】第１実施形態によるライトパイプの冷却機構を示した斜視図である。
【図５】第１実施形態によるライトパイプの縦断面図である。
【図６】第１実施形態によるライトパイプの冷却機構を示した斜視図である。
【図７】第１実施形態によるライトパイプの冷却方法を示す部分断面図である。
【図８】本発明の第２実施形態によるプロジェクタの内部平面図である。
【図９】図８に示した第２実施形態によるプロジェクタのライトパイプへの導風部周辺の構造を示した斜視図である。
【図１０】従来のライトパイプ冷却機構を示す断面図である。
【符号の説明】
【００４２】
１     プロジェクタ
１２   ライトパイプ
１３   レンズ群
１４   レンズ保持部材
３１   ブロワ（送風手段）
３２   導管部材
３２ａ 第１導風路
３２ｂ 第２導風路
３２ｃ 送風口
３３   導風部（導風部材）
３３ｄ 導風空間
４１   プロジェクタ
４２   送風ファン（送風手段）
４３   レンズ保持部材
４４   導風部（導風部材）
４４ｄ 導風空間
【図１】
2006337511.tif 000003
【図２】
2006337511.tif 000004
【図３】
2006337511.tif 000005
【図４】
2006337511.tif 000006
【図５】
2006337511.tif 000007
【図６】
2006337511.tif 000008
【図７】
2006337511.tif 000009
【図８】
2006337511.tif 000010
【図９】
2006337511.tif 000011
【図１０】
2006337511.tif 000012